(57)【要約】【課題】撮影者の眼に入射する光に対し実情に即した遮光或いは減光を行うこと。【解決手段】光学ファインダー２４で観察される被写体の輝度を検出する測光センサー２５から得られる被写体輝度情報と、光学ファインダー２４を介して被写体を観察している撮影者の眼Ｅの瞳孔径を検出する赤外光センサー２８から得られる瞳孔径情報との両方に基づいて、光学ファインダー２４から射出する光束に対してアイピースシャッター２３による遮光を行い、又は可変減光フィルター２１による減光を行う。【選択図】図１
2018116291.tif 000002
【特許請求の範囲】
【請求項１】
被写体を観察するためのファインダーと、
前記被写体の輝度を検出する検出部と、
前記ファインダーを介して前記被写体を観察する眼の瞳孔の画像を取得する取得部と、
前記輝度と前記瞳孔の画像とに基づいて前記ファインダーの接眼部から射出する光束の光量を制御する制御部と、
を備えるカメラ。
【請求項２】
請求項１に記載のカメラにおいて、
前記制御部は、前記接眼部から射出する光束を遮光する遮光部と、前記接眼部から射出する光束の光量を減らす減光部とを有し、前記輝度と前記瞳孔の画像とに基づいて前記遮光部および前記減光部のいずれか一方を制御するカメラ。
【請求項３】
請求項２に記載のカメラにおいて、
前記遮光部は、前記ファインダーに設けられたシャッターであるカメラ。
【請求項４】
請求項２または３に記載のカメラにおいて、
前記減光部は、前記ファインダーに設けられた減光フィルターであるカメラ。
【請求項５】
請求項２に記載のカメラにおいて、
撮影光学系と、
前記撮影光学系を通過した被写体光束を前記ファインダーへ反射する前記撮影光学系の光路内の第１位置と、前記光路から退避した第２位置との間を移動する反射部材と、を更に備え、
前記制御部は、前記反射部材を前記第２位置に移動させることによって前記接眼部から射出する光束を遮光するカメラ。
【請求項６】
請求項５に記載のカメラにおいて、
前記撮影光学系に設けられた絞りを更に備え、
前記制御部は、前記絞りの開口径を小径化することによって前記接眼部から射出する光束を減光するカメラ。
【請求項７】
請求項２から６までのいずれか一項に記載のカメラにおいて、
前記制御部は、前記遮光部による遮光後の前記輝度の低下に基づき、前記遮光部を前記遮光前の状態に戻すカメラ。
【発明の詳細な説明】
【技術分野】
【０００１】
本発明は、高輝度被写体から眼を保護する機能を有するカメラに関する。
【背景技術】
【０００２】
太陽のような高輝度の被写体をカメラのファインダを通して見た場合、瞳に悪影響を及ぼす可能性がある。そこで、目を保護するために、ファインダ光路内に測光センサと、アイピースシャッタまたはアイピース絞りを設けて、基準値を超える強い光が入射したときは、アイピースシャッタまたはアイピース絞りを作動させて遮光や減光といった光量の制御を行うカメラが知られている（例えば、特許文献１参照）。
【先行技術文献】
【特許文献】
【０００３】
【特許文献１】特開平６−３３２０４０号公報
【発明の概要】
【発明が解決しようとする課題】
【０００４】
ところが、特許文献１のカメラは、被写体の輝度のみに基づいて光量の制御を行っており、撮影者の眼に関する情報、具体的には撮影者の眼が周囲の明るさに対してどのような状態になっているかを把握していないので、実情に即していない遮光や減光を行ってしまうという問題がある。
【課題を解決するための手段】
【０００５】
本発明の一態様によるカメラは、被写体を観察するためのファインダーと、前記被写体の輝度を検出する検出部と、前記ファインダーを介して前記被写体を観察する眼の瞳孔の画像を取得する取得部と、前記輝度と前記瞳孔の画像とに基づいて前記ファインダーの接眼部から射出する光束の光量を制御する制御部と、を備える。
【発明の効果】
【０００６】
本発明によれば、適切に眼を保護することが可能となる。
【図面の簡単な説明】
【０００７】
【図１】本発明の実施の形態に係るカメラの全体構成を模式的に示す図である。
【図２】本実施の形態に係るカメラの測光センサーの受光面を模式的に示す平面図である。
【図３】本実施の形態に係るカメラの観察光学系とその周辺の構成を模式的に示す部分構成図である。
【図４】本実施の形態に係るカメラの主要部の構成を示すブロック図である。
【図５】第１の実施の形態に係るカメラの動作の流れを示すフローチャートである。
【図６】第１の実施の形態に係るカメラによる遮光、減光の判定方法を説明するためのチャートである。
【図７】第２の実施の形態に係るカメラの動作の流れを示すフローチャートである。
【図８】第２の実施の形態に係るカメラによる遮光、減光の判定方法を説明するためのチャートである。
【発明を実施するための形態】
【０００８】
−第１の実施の形態−
＜構成＞
以下、第１の実施の形態によるカメラの構成について、図面を参照しながら説明する。
図１を参照すると、第１の実施の形態によるカメラ１はデジタル一眼レフカメラであり、交換レンズ２とカメラボディ３とを備える。交換レンズ２には、撮影レンズ１１及び撮影用絞り１２が収納されている。撮影レンズ１１は、フォーカシングレンズやズーミングレンズを含んでいてもよい。
【０００９】
カメラボディ３は、レフレックスミラー１３、シャッター１４、撮像素子１５、モニター１６及びファインダースクリーン１７を備える。また、カメラボディ３は、ペンタプリズム２０、可変減光フィルター２１、接眼レンズ２２、アイピースシャッター２３を備え、可変減光フィルター２１、接眼レンズ２２及びアイピースシャッター２３は、光学ファインダー２４を構成する。また、カメラボディ３は、測光センサー２５、赤外光源２６、結像光学系２７、赤外光センサー２８及び制御部３０を備える。
【００１０】
レフレックスミラー１３は、図１に示すようなミラーダウン位置と、ファインダースクリーン１７側へ跳ね上げられるミラーアップ位置との間で移動可能に構成されている。レフレックスミラー１３は、ミラーダウン位置では、撮影レンズ１１及び絞り１２を通過した被写体光束Ｌ１を反射してファインダースクリーン１７へ導き、ミラーアップ位置では、被写体光束Ｌ１の光路から退避して被写体光束Ｌ１をシャッター１４の側へと通過させる。
【００１１】
シャッター１４は、撮影者によるレリーズ操作に応じて開口を開放し、撮像素子１５を所定時間露光するように構成されている。撮像素子１５は、例えばＣＣＤやＣＭＯＳから構成され、撮影レンズ１１により形成された被写体像を光電変換して、被写体画像信号としての電気信号と焦点検出信号としての電気信号を出力する。モニター１６は、例えば液晶ディスプレイであり、撮像素子１５により撮像された被写体像を表示する。
【００１２】
レフレックスミラー１３が図１に示すようなミラーダウン位置にある時、ファインダースクリーン１７上には被写体光束Ｌ１による被写体像が結像する。ペンタプリズム２０は、この被写体像を正立像とし、光学ファインダー２４及び測光センサー２５へ導く。撮影者は、ペンタプリズム２０から光学ファインダー２４までの観察光学系により被写体像を観察することができる。
【００１３】
可変減光フィルター２１は、入射する光量を減少させて透過させる機能を有し、その減光量は可変である。入射する光量を完全に透過させる場合（透過率１００％）を減光量０％とし、完全に遮光した場合を１００％とすると、可変減光フィルター２１は、例えば、減光量０％から７５％の範囲で可変である電気光学効果を利用した素子で構成することができる。
【００１４】
接眼レンズ２２は、被写体像を所定の倍率に拡大または縮小する。アイピースシャッター２３は、ファインダー光路を開放して光束を通過させる開放位置（非遮光位置）と光路を遮断して光束を通過させない遮光位置との間で移動可能に構成されている。なお、アイピースシャッター２３も、光をほぼ１００％透過させる状態とほぼ１００％遮光する状態とを実現する電気光学効果を利用した素子で構成してもよい。
【００１５】
測光センサー２５は、例えば２次元のＣＣＤで構成され、受光面を複数の領域に分割して各領域毎に輝度を検出し、輝度検出信号を出力する。
図２は、測光センサー２５の受光面の一部分を模式的に示す図である。測光センサー２５の受光面には、可視光に感度をもち赤色フィルターを有する画素２５Ｒ、可視光に感度をもち緑色フィルターを有する画素２５Ｇ、可視光に感度をもち青色フィルターを有する画素２５Ｂ、及び紫外光に感度をもつ画素２５ＵＶが配列している。紫外光に感度をもつ画素２５ＵＶは、可視光に感度をもつ画素２５Ｒ、２５Ｇ、２５Ｂの中に散在し、その面積比は例えば数％程度である。従って、測光センサー２５は、カラー画像を取得するとともに紫外線を検出することもできる。
【００１６】
赤外光源２６は、光学ファインダー２４を覗く撮影者の眼球Ｅに近赤外光を照射する光源である。結像光学系２７は、赤外光源２６からの近赤外光が照射されている眼球Ｅの像（眼球像）を形成する光学系である。赤外光センサー２８は、結像光学系２７によって結像された眼球Ｅの像を光電変換して眼球画像信号としての電気信号を出力する。撮影者の眼球Ｅの像には、瞳孔及び虹彩の像が含まれている。
【００１７】
図３は、観察光学系とその周辺の構成を示す部分構成図である。被写体光束Ｌ１は、ファインダースクリーン１７に入射して拡散され、拡散光の大部分の光束Ｌ２は、ペンタプリズム２０を介して光学ファインダー２４へ入射する。すなわち、ファインダースクリーン１７上に結像した被写体像は、ペンタプリズム２０、可変減光フィルター２１、接眼レンズ２２及びアイピースシャッター２３を含む観察光学系により撮影者によって観察される。上記拡散光の一部分の光束Ｌ３は、ペンタプリズム２０を介して測光センサー２５へ入射し、測光センサー２５の受光面上に結像する。
【００１８】
また、図３に示されるように、赤外光源２６は、撮影者の眼球Ｅに対して斜め下方から近赤外光Ｌ４を照射し、近赤外光Ｌ４が照射された撮影者の眼球Ｅの像は、撮影者の眼球Ｅに対して斜め上方に配置された結像光学系２７により赤外光センサー２８の受光面上に結像する。
【００１９】
図１及び図４に示す制御部３０は、ＣＰＵやメモリーなどから構成され、上述した撮影レンズ１１、絞り１２、レフレックスミラー１３、シャッター１４、撮像素子１５、モニター１６、可変減光フィルター２１、アイピースシャッター２３、測光センサー２５、赤外光源２６、赤外光センサー２８とそれぞれ電気的に接続されている。制御部３０は、これらの各構成部品との間で信号の授受を行い、各種の演算を行い、その演算結果に基づいてこれらの各構成部品の動作をコントロールする。
【００２０】
図４は、制御部３０を中心とするカメラ主要部の構成を示すブロック図である。制御部３０は、カメラ制御部３１、輝度測定部３２、瞳孔径測定部３３及び判定部３４を有する。
カメラ制御部３１は、アクチュエーターを介して撮影レンズ１１のフォーカシング動作やズーミング動作を制御したり、絞り１２の開口径を変化させる駆動制御を行う。また、カメラ制御部３１は、レフレックスミラー１３をミラーダウン位置とミラーアップ位置との間で移動させる駆動制御を行ったり、シャッター１４の開閉動作を制御する。
【００２１】
また、カメラ制御部３１は、撮像素子１５から被写体画像信号や焦点検出信号を入力し、画像処理や焦点検出の演算を行う。また、カメラ制御部３１は、モニター１６の画面の明るさや色合いなどの表示状態を制御したり、赤外光源２６の点灯／消灯動作を制御する。更に、カメラ制御部３１は、可変減光フィルター２１の減光量を制御したり、アイピースシャッター２３の開閉動作を制御する。
【００２２】
輝度測定部３２は、測光センサー２５からの輝度検出信号に基づいて被写体像の輝度を測定する。測光センサー２５と輝度測定部３２とは、輝度検出部を構成する。
【００２３】
瞳孔径測定部３３は、赤外光センサー２８からの眼球画像信号に基づいて光学ファインダー２４を覗いている撮影者の眼球Ｅの画像データを生成し、その眼球画像データにより撮影者の眼球Ｅの瞳孔径を測定する。撮影者の眼球Ｅに近赤外光を照射する赤外光源２６、結像光学系２７、赤外光センサー２８及び瞳孔径測定部３３は、瞳孔径検出部を構成する。
【００２４】
瞳孔は、虹彩によって周囲を囲まれた孔であり、外界の光はこの孔の領域を通って網膜へ入射する。瞳孔径は、周囲の明るさに応じて変化し、周囲が明るいときは小さくなり、周囲が暗いときは大きくなる。従って、周囲が明るいにもかかわらず瞳孔径が大きい状態では眩しく感じる。また、虹彩は、人種により茶色、緑色、青色など様々であるが、例えば日本人のように茶色の場合は、虹彩と瞳孔の区別が難しい。しかし、本実施の形態のように、赤外光源２６からの近赤外光を撮影者の眼球Ｅに照射し、近赤外光に感度をもつ赤外光センサー２８で撮影すると、虹彩のみが明るく写るので、瞳孔の像と虹彩の像とを正確に区別することができる。
【００２５】
判定部３４は、輝度測定部３２によって測定された被写体像の輝度と、瞳孔径測定部３３によって測定された撮影者の眼球Ｅの瞳孔径との両方の情報に基づいて、眼球Ｅに入射する光量、正確に言うと、眼球Ｅの瞳孔に入射する光量を算出し、この入射光量に基づいて遮光の要否及び撮影者の眼を保護するのに必要な減光量の算出を行う。
カメラ制御部３１は、判定部３４による判定結果に基づいて、遮光が必要な場合は、アイピースシャッター２３を閉鎖し、減光が必要な場合は、可変減光フィルター２１の減光量を調節する。
【００２６】
＜遮光／減光の動作＞
図５のフローチャートを参照しながら、上記の構成を有するカメラ１による遮光／減光の動作を説明する。
【００２７】
撮影者がカメラ１の電源を投入すると、カメラ１の撮影準備動作が行われる。電源が投入された時には、レフレックスミラー１３はミラーダウン位置にあり、可変減光フィルター２１は減光量０％（透過率１００％相当）であり、アイピースシャッター２３は光束を通過させる開放位置（非遮光位置）にある。レフレックスミラー１３はミラーダウン位置にあるので、撮影者は図１に示したように、光学ファインダー２４を介して被写体像を観察可能であり、ライブビューモードはＯＦＦである。
【００２８】
ステップＳ１１で、赤外光源２６は、撮影者の眼球Ｅを照明し、赤外光センサー２８は、結像光学系２７によって結像された撮影者の眼球Ｅの像を撮像し、眼球Ｅの像を眼球画像信号として出力する。瞳孔径測定部３３は、赤外光センサー２８からの眼球画像信号に基づいて光学ファインダー２４を覗いている撮影者の眼球Ｅの画像データを生成し、その眼球画像データにより眼球Ｅの瞳孔径を測定する。眼球Ｅの像には、瞳孔及び虹彩の像が含まれている。
【００２９】
ステップＳ１２で、測光センサー２５は、ペンタプリズム２０を介してファインダースクリーン１７上の被写体像の輝度を検出し、輝度検出信号を出力し、輝度測定部３２は、この輝度検出信号に基づいて被写体像の輝度を測定する。
【００３０】
ステップＳ１３で、判定部３４は、輝度測定部３２によって測定された被写体像の輝度と、瞳孔径測定部３３によって測定された眼球Ｅの瞳孔径との両方の情報に基づいて、眼球Ｅの瞳孔に入射する光量（入射光量）を算出する。入射光量は、被写体像の輝度が高い程、瞳孔径が大きい程、大きくなる。
【００３１】
ステップＳ１４で、判定部３４は、算出した入射光量に基づいて遮光または減光の要否を判定するとともに撮影者の眼を保護するのに必要な減光量を算出する。
【００３２】
ここで、図６に示されるチャートを参照しながら、ステップＳ１４で実行される判定手法の一例を説明する。
図６のチャートでは、横軸が入射光量の大小を表し、入射光量の値は、境界値ｐ１、ｐ２、ｐ３、及びｐ４により、領域Ａ、領域Ｂ、領域Ｃ、領域Ｄの４つに区分されている。
【００３３】
領域Ａは、瞳孔への入射光量が最大の領域であり、入射光量が境界値ｐ１を超える領域である。
領域Ｂは、入射光量の大きい領域であり、入射光量が境界値ｐ１からｐ２の間の領域である。
領域Ｃは、入射光量が領域Ｂよりも小さいが比較的大きい領域であり、入射光量が境界値ｐ２からｐ３の間の領域である。
領域Ｄは、入射光量が最少の領域であり、入射光量が境界値ｐ３未満の領域である。
【００３４】
判定部３４は、ステップＳ１３で求めた入射光量が領域Ａ、Ｂ、Ｃ、Ｄのいずれの領域に入るかを判定する。本実施の形態では、入射光量が領域Ａに入る場合は遮光し、領域Ｂに入る場合は減光量５０％の減光とし、領域Ｃに入る場合は減光量２５％の減光とし、領域Ｄに入る場合は遮光も減光も行わないとする。
【００３５】
ステップＳ１５で、判定部３４は、遮光が必要か否かを判定する。算出された瞳孔への入射光量が領域Ａに入る場合は、遮光が必要と判定（肯定判定）してステップＳ１６へ移行し、入射光量が領域Ａ以外である場合は、遮光は不要と判定（否定判定）してステップＳ１９へ移行する。
ステップＳ１６では、カメラ制御部３１は、遮光用部材を駆動して遮光動作を実行させる。すなわち、カメラ制御部３１は、電源投入時に開放状態にあったアイピースシャッター２３を閉鎖する。
【００３６】
ステップＳ１７では、カメラ１が備えるスピーカー（不図示）により、アイピースシャッター２３を閉鎖する旨を音声で撮影者に告知する。この閉鎖動作の前に告知が行われるようにすれば、撮影者は被写体が観察できなくなることを事前に知ることができ、この動作の直後に告知が行われるようにすれば、撮影者は突然に被写体が観察できなくなった理由を知ることができる。
ステップＳ１８では、カメラ１の電源がＯＦＦになったか否かを判断し、カメラ電源ＯＦＦであれば撮影動作を終了し、カメラ電源ＯＦＦでないならば、ステップＳ１１へ移行する。
【００３７】
ステップＳ１５へ戻って、判定部３４は、遮光が必要ではない場合は、上述のように、ステップＳ１９へ移行する。
ステップＳ１９で、判定部３４は、減光量は０％であるか否かを判定する。
【００３８】
判定部３４が、入射光量が領域Ｄに入ると判定（肯定判定）した場合は、減光量は０％であるので、減光動作はせずにステップＳ１８へ移行する。
ステップＳ１９で、判定部３４が、減光量は０％ではないと判定（否定判定）した場合は、すなわち、入射光量は領域Ｂ又は領域Ｃに入ると判定した場合は、ステップＳ２０へ移行する。
【００３９】
ステップＳ２０では、カメラ制御部３１は、ステップＳ１４で算出された減光量に基づいて減光用部材を駆動して減光動作を実行させる。具体的には、カメラ制御部３１は、電源投入時に減光量が０％であった可変減光フィルター２１に対し、入射光量が領域Ｂに入る場合は減光量を５０％とし、領域Ｃに入る場合は減光量を２５％とする。この減光動作が終了すると、ステップＳ１８へ移行し、カメラ１の電源がＯＦＦになったか否かを判断し、カメラ電源ＯＦＦであれば撮影動作を終了し、カメラ電源ＯＦＦでないならば、ステップＳ１１へ移行する。
【００４０】
図５のステップＳ１６では、カメラ制御部３１がアイピースシャッター２３を閉鎖するが、その後、高輝度被写体が移動したりカメラ１が移動して、測光センサー２５の出力が遮光の必要がなくなる程度まで低下したときは、カメラ制御部３１は、自動的にアイピースシャッター２３を開放状態に復帰させる。これにより、撮影者は再び光学ファインダー２４を介して被写体を観察することができる。
【００４１】
第１の実施の形態によるカメラ１によれば、以下の作用効果を奏する。
（１）判定部３４は、輝度測定部３２によって測定された被写体像の輝度と、瞳孔径測定部３３によって測定された撮影者の眼球Ｅの瞳孔径との両方の情報に基づいて、撮影者の眼球Ｅの瞳孔に入射する光量を算出するので、撮影者の眼を保護するための正確なデータを得ることができる。
【００４２】
（２）判定部３４は、瞳孔に入射する入射光量に基づいて遮光または減光の要否を判定するとともに撮影者の眼を保護するのに必要な減光量を算出し、カメラ制御部３１は、遮光が必要な場合はアイピースシャッター２３を閉鎖し、減光が必要な場合は可変減光フィルター２１の減光量を調節するので、入射光量の大小に応じて適切な動作を行うことができる。
【００４３】
（３）判定部３４は、減光が必要な場合は、入射光量の大小に応じて減光量を変えることができる。図５のステップＳ１９で、入射光量が領域Ｂの場合は５０％の減光量とし、領域Ｃの場合は２５％の減光量としたように、判定部３４は、撮影者の眼を保護するのに必要な減光量を算出し、カメラ制御部３１は、その算出結果に基づいて可変減光フィルター２１の減光量を調節するので、入射光量の大小に応じて減光量を変えることができる。
【００４４】
（４）測光センサー２５の受光面には、可視光に感度をもつ画素２５Ｒ、２５Ｇ、２５Ｂの中に紫外光に感度をもつ画素２５ＵＶが配置されているので、可視光よりも眼に有害な紫外線の検出も可能である。従って、特に、紫外線の強度が大きい場合には、可視光の輝度値に紫外線の強度の値も加えて判定すれば、遮光や減光のための一層正確なデータが得られる。
【００４５】
以下、第１の実施の形態の変形例について説明する。
（１）第１の実施の形態では、デジタル一眼レフカメラ１について説明したが、本発明は、デジタル一眼レフカメラに限らず、フィルムで像を記録するフィルム式カメラにも適用できる。また、本発明は、レンズ固定式のカメラにも、被写体撮影用の光路と被写体観察用の光路との２系統を有する透視ファインダーカメラにも適用できる。また、本発明は、被写体を電子ビューファインダーで観察するミラーレスカメラにも適用できる。
【００４６】
（２）第１の実施の形態では、撮影者の眼Ｅの状態に関する眼球情報として瞳孔径を用いて説明したが、虹彩の色や虹彩の大きさの情報を用いることもできる。
【００４７】
（３）第１の実施の形態では、図５のステップＳ１６で、遮光用部材としてアイピースシャッター２３を用いたが、レフレックスミラー１３を用いることもできる。すなわち、遮光する場合は、カメラ制御部３１は、電源投入時に開放状態にあったアイピースシャッター２３を閉鎖する代わりに、電源投入時にミラーダウン位置にあったレフレックスミラー１３を跳ね上げてミラーアップ位置にする。
レフレックスミラー１３がミラーアップ位置になると、被写体光束Ｌ１は光学ファインダー２４へ入射せずに、撮像素子１５へ入射するので、撮像素子１５で撮像した像をモニター１６へ表示することができる。すなわち、ライブビューモードが機能する。従って、遮光が必要な場合は、カメラ制御部３１がレフレックスミラー１３をミラーアップ位置へ駆動することで、アイピースシャッター２３を閉鎖するのと同様の効果をもたせることができ、アイピースシャッター２３の設置を省略することができる。
なお、レフレックスミラー１３がミラーアップ位置にある時に、高輝度被写体がファインダー視野から外れた場合は、撮像素子１５の出力によって輝度測定部３２が被写体の輝度を測定し、輝度測定値が低下するとミラーダウン位置に戻すことができる。
【００４８】
（４）第１の実施の形態では、図５のステップＳ２０で、減光用部材として可変減光フィルター２１を用いたが、撮影用絞り１２を用いることもできる。すなわち、減光する場合は、カメラ制御部３１は、可変減光フィルター２１の減光量を調節する代わりに、撮影用絞り１２の開口を小径化する。これにより、減光が必要な場合は、可変減光フィルター２１の透過率を減少させるのと同様の効果をもたせることができ、可変減光フィルター２１の設置を省略することができる。
【００４９】
（５）第１の実施の形態では、遮光用部材としてアイピースシャッター２３、減光用部材として可変減光フィルター２１の組合せを用いたが、遮光用部材としてアイピースシャッター２３を用い、減光用部材としては可変減光フィルター２１に限らず、例えば撮影用絞り１２を用いてもよい。また、減光用部材として可変減光フィルター２１を用い、遮光用部材としてはアイピースシャッター２３に限らず、例えばレフレックスミラー１３を用いてもよい。
【００５０】
（６）図６のチャートでは、入射光量の値は、境界値ｐ１、ｐ２、ｐ３、及びｐ４により、領域Ａ、Ｂ、Ｃ及びＤの４つに区分し、減光すべき領域は領域Ｂと領域Ｃとの２つの区分としたが、より細分化してもよいし、入射光量に応じて減光量を連続的に変化させてもよい。
【００５１】
（７）第１の実施の形態では、高輝度被写体が移動したりカメラ１が移動して遮光の必要がなくなったときは、自動的にアイピースシャッター２３を開放状態に復帰させるようにしたが、この復帰動作を手動で実施するようにしてもよい。
【００５２】
−第２の実施の形態−
第２の実施の形態によるカメラ１Ａは、図１〜図４に示した第１の実施の形態によるデジタル一眼レフカメラ１と同一の構成であるので、構成部品には同一の符号を付すとともに遮光／減光の動作を主体に説明する。
【００５３】
図７のフローチャートは、第２の実施の形態のカメラ１Ａによる遮光／減光の動作を示すものであり、カメラ１Ａの電源投入後の撮影準備、ステップＳ２１の撮影者の眼の瞳孔径測定、ステップＳ２２における被写体の輝度測定の各動作は、図５に示した第１の実施の形態の対応する各動作と同じである。
【００５４】
第２の実施の形態によるカメラ１Ａが、第１の実施の形態によるカメラ１と異なる点は、第１の実施の形態では、上述のように、被写体像の輝度と撮影者の眼球Ｅの瞳孔径とから入射光量を算出し、この入射光量に基づいて遮光または減光の要否判定等を行うものであった。これに対して、第２の実施の形態では、被写体像の輝度と撮影者の眼球Ｅの瞳孔径との組合せに基づいて遮光または減光の要否判定等を行うものである。
【００５５】
図７のステップＳ２３では、判定部３４は、図８のチャートを用いて遮光または減光の要否を判定するとともに撮影者の眼を保護するのに必要な減光量を算出する。
【００５６】
ここで、図８に示されるチャートを参照しながら、ステップＳ２３で実行される判定手法の一例を説明する。
図８のチャートでは、横軸に瞳孔径、縦軸に輝度をとり、それぞれ瞳孔径の大小、輝度値の大小を表す。瞳孔径の大小は、境界値ｒ１により２つに区分され、輝度値の大小は、境界値ｂ１及びｂ２により３つに区分されている。この区分により、図８に示されるように、Ａ−１、Ｂ−１、Ｃ−１、Ａ−２、Ｂ−２、Ｃ−２の６つの領域が生じる。
【００５７】
領域Ａ−１は、瞳孔径が境界値ｒ１以上、且つ輝度値が境界値ｂ２以上の領域であり、瞳孔径も輝度値も大きい領域である。
領域Ｂ−１は、瞳孔径が境界値ｒ１以上、且つ輝度値が境界値ｂ１からｂ２の間の領域であり、瞳孔径は大きく輝度値は中程度の領域である。
領域Ｃ−１は、瞳孔径が境界値ｒ１以上、且つ輝度値が境界値ｂ１以下の領域であり、瞳孔径は大きいが輝度値は小さい領域である。
【００５８】
領域Ａ−２は、瞳孔径が境界値ｒ１以下、且つ輝度値が境界値ｂ２以上の領域であり、瞳孔径は小さいが輝度値は大きい領域である。
領域Ｂ−２は、瞳孔径が境界値ｒ１以下、且つ輝度値が境界値ｂ１からｂ２の間の領域であり、瞳孔径は小さく輝度値は中程度の大きい領域である。
領域Ｃ−２は、瞳孔径が境界値ｒ１以下、且つ輝度値が境界値ｂ１以下の領域であり、瞳孔径も輝度値も小さい領域である。
【００５９】
判定部３４は、ステップＳ２１で測定した撮影者の眼球Ｅの瞳孔径とステップＳ２２で測定した被写体像の輝度値との組合せが領域Ａ−１、Ｂ−１、Ｃ−１、Ａ−２、Ｂ−２、Ｃ−２のいずれの領域に入るかを判定する。本実施の形態では、入射光量が領域Ａ−１に入る場合は遮光し、領域Ｂ−１またはＡ−２に入る場合は減光量５０％の減光とし、領域Ｃ−１またはＢ−２に入る場合は減光量２５％の減光とし、領域Ｃ−２に入る場合は遮光も減光も行わないとする。
【００６０】
ステップＳ２４で、判定部３４は、遮光が必要か否かを判定する。瞳孔径及び輝度値の組合せが領域Ａ−１に入る場合は、遮光が必要と判定（肯定判定）してステップＳ２５へ移行し、瞳孔径及び輝度値の組合せが領域Ａ−１以外である場合、遮光は不要と判定（否定判定）してステップＳ２８へ移行する。
【００６１】
ステップＳ２５では、カメラ制御部３１は、遮光用部材を駆動して遮光動作を実行させる。すなわち、カメラ制御部３１は、電源投入時に開放状態にあったアイピースシャッター２３を閉鎖する。
【００６２】
ステップＳ２６では、カメラ１Ａが備えるスピーカー（不図示）により、アイピースシャッター２３を閉鎖する旨を音声で撮影者に告知する。
ステップＳ２７では、カメラ１Ａの電源がＯＦＦになったか否かを判断し、カメラ電源ＯＦＦであれば撮影動作を終了し、カメラ電源ＯＦＦでないならば、ステップＳ２１へ移行する。
【００６３】
ステップＳ２４へ戻って、判定部３４は、遮光が必要ではない場合は、上述のように、ステップＳ２８へ移行する。
ステップＳ２８で、判定部３４は、減光量は０％であるか否かを判定する。
【００６４】
判定部３４が、入射光量が領域Ｃ−２に入ると判定（肯定判定）した場合は、減光量は０％であるので、減光動作はせずにステップＳ２７へ移行する。
ステップＳ２８で、判定部３４が、減光量は０％ではないと判定（否定判定）した場合は、すなわち、瞳孔径及び輝度値の組合せが領域Ｂ−１、Ｃ−１、Ａ−２またはＢ−２に入ると判定した場合は、ステップＳ２９へ移行する。
【００６５】
ステップＳ２９では、カメラ制御部３１は、ステップＳ２３で算出された減光量に基づいて減光用部材を駆動して減光動作を実行させる。具体的には、カメラ制御部３１は、電源投入時に減光量が０％であった可変減光フィルター２１に対し、瞳孔径及び輝度値の組合せが、領域Ｂ−１またはＡ−２に入る場合は減光量を５０％とし、領域Ｃ−１またはＡ−２に入る場合は減光量を２５％とする。領域Ｃ−１の場合、被写体輝度が非常に小さければ、減光量を０％としてもよい。
この減光動作が終了すると、ステップＳ２７へ移行し、カメラ１の電源がＯＦＦになったか否かを判断し、カメラ電源ＯＦＦであれば撮影動作を終了し、カメラ電源ＯＦＦでないならば、ステップＳ２１へ移行する。
【００６６】
第１の実施の形態では、瞳孔径と被写体輝度との２つの測定値から撮影者の眼に入射する入射光量を求め、この入射光量に基づいて遮光または減光の要否を判定するとともに撮影者の眼を保護するのに必要な減光量を算出した。これに対し、第２の実施の形態では、瞳孔径と被写体輝度値の組合せが図８のチャートのどの領域に入るかによって遮光または減光の要否判定や減光量の算出を行うという相違があるが、第２の実施の形態のカメラ１Ａも、上述した第１の実施の形態によるカメラ１と同様の作用効果を奏する。また、第２の実施の形態では、図８のチャートを用いて、瞳孔径と被写体輝度値の２つの測定値から直接に遮光または減光の要否判定などを行うことができるので、眼球Ｅに入射する入射光量を算出する必要がない。
【００６７】
第２の実施の形態の変形例も、第１の実施の形態の変形例と同様である。
なお、図８のチャートでは、瞳孔径の大小を境界値ｒ１により２つに区分し、輝度値の大小は、境界値ｂ１及びｂ２により３つに区分し、瞳孔径及び輝度値の組合せをＡ−１、Ｂ−１、Ｃ−１、Ａ−２、Ｂ−２、Ｃ−２の６つの領域に区分し、領域Ａ−１では遮光、領域Ｂ−１及び領域Ａ−２では５０％の減光量、領域Ｃ−１及び領域Ｂ−２では２５％の減光量、領域Ｃ−２では遮光も減光もしないと説明した。しかし、領域の区分は上記のみに限らず、減光を行うための領域Ｂ−１、Ａ−２、Ｃ−１及びＢ−２を更に細分化し、それに応じて減光量も細分化するようにしてもよい。
本発明は、その特徴を損なわない限り、以上説明した実施の形態に何ら限定されるものではない。
【符号の説明】
【００６８】
１、１Ａ：カメラ                        ２：交換レンズ
３：カメラボディ                １１：撮影レンズ
１２：撮影用絞り（絞り）          １３：レフレックスミラー
１４：シャッター                  １５：撮像素子
１７：ファインダースクリーン      ２１：可変減光フィルター
２２：接眼レンズ                  ２３：アイピースシャッター
２４：光学ファインダー            ２５：測光センサー
２６：赤外光源                    ２７：結像光学系
２８：赤外光センサー              ３０：制御部
３１：カメラ制御部                ３２：輝度測定部
３３：瞳孔径測定部                ３４：判定部
Ｅ：眼（眼球）
【図１】
2018116291.tif 000003
【図２】
2018116291.tif 000004
【図３】
2018116291.tif 000005
【図４】
2018116291.tif 000006
【図５】
2018116291.tif 000007
【図６】
2018116291.tif 000008
【図７】
2018116291.tif 000009
【図８】
2018116291.tif 000010